(57)【要約】【課題】壁スイッチのような既設のスイッチに代えて用いることにより、設置場所ではない遠方から負荷のオンオフを指示することを可能とする。【解決手段】器体は後部が施工面に埋設され前面が施工面から露出する。器体に収納された負荷開閉部１１は電源ＡＣと負荷Ｌｄとの直列回路を接続する一対の接続端子Ｘ１，Ｘ２を備え、両接続端子Ｘ１，Ｘ２間に挿入されたスイッチ素子を備える。スイッチ素子のオンオフは、ワイヤレス受信部１３が受信したワイヤレス信号の内容に応じて制御回路部１０が制御する。電源回路部１２は、接続端子Ｘ１，Ｘ２から供給される電力を用いて制御回路部１０が動作可能な内部電源を生成する。制御回路部１０は、送信器２でスイッチＳａが押操作されたときに送信されるワイヤレス信号を受信しワイヤレス信号に呼応してスイッチ素子のオンオフを制御する。【選択図】図１
2007174095.tif 000002
【特許請求の範囲】
【請求項１】
後部が施工面に埋設され前面が施工面から露出する器体と、電源と負荷との直列回路を接続する一対の接続端子を器体の後部に備え両接続端子間にスイッチ素子が挿入された負荷開閉部と、スイッチ素子のオンオフを制御する制御回路部と、接続端子から供給される電力を用いて制御回路部が動作可能な内部電源を生成する電源回路部と、送信器から送信されるワイヤレス信号を受信しワイヤレス信号に呼応して制御回路部にスイッチ素子のオンオフを制御させるワイヤレス受信部とを備えることを特徴とするワイヤレス配線器具。
【請求項２】
前記負荷開閉部を複数回路備え、前記制御回路部は各負荷開閉部のスイッチ素子のオンオフをそれぞれ個別に制御することを特徴とする請求項１記載のワイヤレス配線器具。
【請求項３】
前記ワイヤレス信号はＵＷＢ方式で伝送されることを特徴とする請求項１または請求項２記載のワイヤレス配線器具。
【請求項４】
前記送信器は、手操作されるスイッチと、スイッチの操作により発電する発電手段とを備え、発電手段で得られた電力を送信器の電源とすることを特徴とする請求項１ないし請求項３のいずれか１項に記載のワイヤレス配線器具。
【請求項５】
前記制御回路部は、前記送信器から送信されるワイヤレス信号に含まれるアドレスが、あらかじめ制御回路部に設定されているアドレスと規定した関係を満たすときに前記負荷開閉部を制御することを特徴とする請求項１ないし請求項４のいずれか１項に記載のワイヤレス配線器具。
【請求項６】
前記送信器から送信されるワイヤレス信号は、送信器ごとに固有に設定されたアドレスと、スイッチ素子の制御内容を指示する制御データとを含み、前記制御回路部は、前記送信器から送信されるワイヤレス信号に含まれるアドレスが、あらかじめ制御回路部に設定されているアドレスと規定した関係を満たすときに、当該ワイヤレス信号に含まれる制御データに従ってスイッチ素子を制御することを特徴とする請求項１ないし請求項４のいずれか１項に記載のワイヤレス配線器具。
【請求項７】
前記制御回路部は、複数個のアドレスが設定可能であることを特徴とする請求項５または請求項６記載のワイヤレス配線器具。
【請求項８】
前記制御回路部に設定されるアドレスにはワイヤレス信号による指示を受けた時点での前記スイッチ素子のオンオフの状態に応じて優先順位が規定されており、制御回路部ではワイヤレス信号に呼応して前記スイッチ素子のオンオフを制御する際に優先順位の高いほうの指示内容に従ってスイッチ素子のオンオフを決定することを特徴とする請求項７記載のワイヤレス配線器具。
【請求項９】
前記送信器は、同内容のワイヤレス信号を規定の複数回繰り返して間欠的に送信することを特徴とする請求項５ないし請求項８のいずれか１項に記載のワイヤレス配線器具。
【請求項１０】
前記送信器は、前記ワイヤレス信号を送信する時間間隔を不規則に変化させることを特徴とする請求項９記載のワイヤレス配線器具。
【請求項１１】
請求項５ないし請求項１０のいずれか１項のワイヤレス配線器具と前記送信器とからなり、ワイヤレス配線器具と送信器との少なくとも一方は手操作されるスイッチを備え、かつ環境変化を検出するセンサを備えた送信器を含む負荷制御システムであって、前記制御回路部は、スイッチによるオンの指示からオフの指示までの期間は前記スイッチ素子をオンにし、センサの指示により前記スイッチ素子がオンになっている期間中にスイッチによるオフの指示を受けてから一定の無効期間にはスイッチ素子をオフにし、残りの期間はセンサの指示に応答してスイッチ素子をオンオフさせることを特徴とする負荷制御システム。
【請求項１２】
請求項５ないし請求項１０のいずれか１項のワイヤレス配線器具と前記送信器とからなり、ワイヤレス配線器具と送信器との少なくとも一方は手操作されるスイッチを備え、かつ侵入者を警戒するセンサを備えた送信器を含む負荷制御システムであって、前記制御回路部は、センサの指示により前記スイッチ素子をオンにするとスイッチによるオフの指示を無効にすることを特徴とする負荷制御システム。
【請求項１３】
請求項５ないし請求項１０のいずれか１項のワイヤレス配線器具と前記送信器とからなり、互いに異なる種類の環境変化を検出するセンサを備えた複数台の送信器を含む負荷制御システムであって、前記制御回路部は、センサによる検出内容の組合せにより前記スイッチ素子のオンオフを決定することを特徴とする負荷制御システム。
【請求項１４】
前記ワイヤレス信号を受信し前記送信器による前記スイッチ素子へのオンオフの指示に対応した表示を行う動作状態表示器を備えることを特徴とする請求項１１ないし請求項１３のいずれか１項に記載の負荷制御システム。
【請求項１５】
前記ワイヤレス配線器具は、前記スイッチ素子のオンオフが、前記センサの指示によるか前記スイッチの操作によるかの別を示す表示灯を備えることを特徴とする請求項１１記載の負荷制御システム。
【発明の詳細な説明】
【技術分野】
【０００１】
本発明は、ワイヤレス信号により負荷をオンオフさせるワイヤレス配線器具および負荷制御システムに関するものである。
【背景技術】
【０００２】
一般に、壁スイッチのように手操作によって負荷のオンオフを指示するスイッチには機械スイッチが採用されている。また、タイムスケジュールに従って負荷のオンオフを制御するタイムスイッチでは、タイマ回路によりリレー接点の開閉を制御する構成のほか、タイマ回路により半導体スイッチのオンオフを制御する電子スイッチも採用されるようになってきている（たとえば、特許文献１参照）。
【特許文献１】特願２０００−１００２９３号公報
【発明の開示】
【発明が解決しようとする課題】
【０００３】
ところで、一般に手操作により負荷のオンオフを指示する壁スイッチのような機械スイッチでは、スイッチを取り付けてある場所まで行かなければ操作することができないという問題がある。
【０００４】
本発明は上記事由に鑑みて為されたものであり、その目的は、壁スイッチのような既設のスイッチに代えて用いることにより、設置場所ではない遠方から負荷のオンオフを指示することを可能とし、またワイヤレス信号を用いて負荷のオンオフを指示することにより単独の機械スイッチでは実現できない多機能化を実現するワイヤレス配線器具および負荷制御システムを提供することにある。
【課題を解決するための手段】
【０００５】
請求項１の発明は、後部が施工面に埋設され前面が施工面から露出する器体と、電源と負荷との直列回路を接続する一対の接続端子を器体の後部に備え両接続端子間にスイッチ素子が挿入された負荷開閉部と、スイッチ素子のオンオフを制御する制御回路部と、接続端子から供給される電力を用いて制御回路部が動作可能な内部電源を生成する電源回路部と、送信器から送信されるワイヤレス信号を受信しワイヤレス信号に呼応して制御回路部にスイッチ素子のオンオフを制御させるワイヤレス受信部とを備えることを特徴とする。
【０００６】
この構成によれば、壁スイッチのような埋込型のスイッチに代えて用いることにより、電源と負荷との直列回路に接続される負荷開閉部を備えた器体の設置場所とは離れた場所から送信器によって負荷のオンオフを指示することができる。また、１つの負荷回路を複数台の送信器に対応付けることにより、電源および負荷との結線は１箇所で行いながらも多箇所での操作を可能にしたり、複数の負荷回路を１台の送信器に対応付けることにより、１台の送信器で複数の負荷の操作を可能にしたりすることができる。さらには、送信器として手操作するスイッチを備えるもの以外に種々のセンサを備えるものを用いることが可能であるから、センサで検出した状態に応じて負荷を制御する機能を容易に実現することができ、単独の機械スイッチでは実現できない多機能化を実現することができる。なお、送信器はワイヤレス信号の到達範囲であれば器体の位置とは無関係に配置することができるから、家具の移動などに伴って器体が家具に隠れるような場合でも、送信器を適宜に配置することによって、負荷の制御が可能になる。逆に言えば、器体はどこに設けてもよく、レイアウトフリーに設置することが可能になる。
【０００７】
請求項２の発明では、請求項１の発明において、前記負荷開閉部を複数回路備え、前記制御回路部は各負荷開閉部のスイッチ素子のオンオフをそれぞれ個別に制御することを特徴とする。
【０００８】
この構成では、器体を１箇所に設置するだけで複数回路の負荷を個別に制御することができる。また、１台で複数回路の負荷のオンオフを制御するから、ワイヤレス信号の内容に応じて負荷開閉部を適宜に制御することによって、複数回路の負荷のオンオフの状態を様々に組み合わせて制御することが可能になる。
【０００９】
請求項３の発明では、請求項１または請求項２の発明において、前記ワイヤレス信号はＵＷＢ方式で伝送されることを特徴とする。
【００１０】
この構成によれば、送信器において変調回路が不要であって回路チップの面積が小さくなる上に消費電力が小さくなる。
【００１１】
請求項４の発明では、請求項１ないし請求項３のいずれかの発明において、前記送信器は、手操作されるスイッチと、スイッチの操作により発電する発電手段とを備え、発電手段で得られた電力を送信器の電源とすることを特徴とする。
【００１２】
この構成によれば、送信器に電池が不要になり、結果的に電池交換が不要になるから、使用者によるメンテナンスが不要になる。
【００１３】
請求項５の発明では、請求項１ないし請求項４のいずれかの発明において、前記制御回路部は、前記送信器から送信されるワイヤレス信号に含まれるアドレスが、あらかじめ制御回路部に設定されているアドレスと規定した関係を満たすときに前記負荷開閉部を制御することを特徴とする。
【００１４】
この構成によれば、負荷と送信器とをアドレスによって対応付けるから、負荷と送信器とを一対一に対応付けるほか、一対多、多対一、多対多など様々に対応付けることが可能になる。たとえば、スイッチやセンサを備える送信器を多箇所に配置することで、同じ負荷をスイッチの操作やセンサでの検知結果の組合せで制御することが可能になる。また、請求項２の発明のように負荷開閉部を複数回路備える場合には、各負荷回路と送信器とを様々に対応付けることが可能になる。
【００１５】
請求項６の発明では、請求項１ないし請求項４のいずれかの発明において、前記送信器から送信されるワイヤレス信号は、送信器ごとに固有に設定されたアドレスと、スイッチ素子の制御内容を指示する制御データとを含み、前記制御回路部は、前記送信器から送信されるワイヤレス信号に含まれるアドレスが、あらかじめ制御回路部に設定されているアドレスと規定した関係を満たすときに、当該ワイヤレス信号に含まれる制御データに従ってスイッチ素子を制御することを特徴とする。
【００１６】
この構成によれば、ワイヤレス信号が送信器ごとに固有に設定されたアドレスを含むから、複数の送信器からワイヤレス信号を受信してもアドレスによって制御データを受け付けるか否かを判断することができ、誤動作を防止することができる。
【００１７】
請求項７の発明では、請求項５または請求項６の発明において、前記制御回路部は、複数個のアドレスが設定可能であることを特徴とする。
【００１８】
この構成によれば、複数台の送信器を対応付けることができ、負荷と送信器とを一対多に対応付けることができる。また、請求項２の構成のように複数回路の負荷を個別に制御することができる場合には、多対多の対応付けが可能になる。
【００１９】
請求項８の発明では、請求項７の発明において、前記制御回路部に設定されるアドレスにはワイヤレス信号による指示を受けた時点での前記スイッチ素子のオンオフの状態に応じて優先順位が規定されており、制御回路部ではワイヤレス信号に呼応して前記スイッチ素子のオンオフを制御する際に優先順位の高いほうの指示内容に従ってスイッチ素子のオンオフを決定することを特徴とする。
【００２０】
この構成によれば、制御回路部は、スイッチ素子のオンオフの状態に応じて設定された優先順位に従ってスイッチ素子のオンオフを制御するから、たとえば、優先順位を適切に設定しておけば互いに矛盾した指示を受けた場合でも負荷の不自然な動作を防止することができる。
【００２１】
請求項９の発明では、請求項５ないし請求項８のいずれかの発明において、前記送信器は、同内容のワイヤレス信号を規定の複数回繰り返して間欠的に送信することを特徴とする。
【００２２】
この構成によれば、送信器から同内容のワイヤレス信号を複数回繰り返して送信するから、周囲のノイズなどが存在していると送信器からワイヤレス信号を１回送信してもワイヤレス受信部に到達しないことがあるが、同内容を複数回送信することにより、ワイヤレス受信部に到達する可能性を高めることができる。
【００２３】
請求項１０の発明では、請求項９の発明において、前記送信器は、前記ワイヤレス信号を送信する時間間隔を不規則に変化させることを特徴とする。
【００２４】
この構成では、ワイヤレス信号を送信する時間間隔を不規則に変化させるから、複数台の送信器からワイヤレス信号が送信されたとしても、ワイヤレス信号が重ならずに伝送される期間が生じやすくなり、送信器からワイヤレス受信部にワイヤレス信号が到達する可能性を高めることができる。
【００２５】
請求項１１の発明は、請求項５ないし請求項１０のいずれか１項のワイヤレス配線器具と前記送信器とからなり、ワイヤレス配線器具と送信器との少なくとも一方は手操作されるスイッチを備え、かつ環境変化を検出するセンサを備えた送信器を含む負荷制御システムであって、前記制御回路部は、スイッチによるオンの指示からオフの指示までの期間は前記スイッチ素子をオンにし、センサの指示により前記スイッチ素子がオンになっている期間中にスイッチによるオフの指示を受けてから一定の無効期間にはスイッチ素子をオフにし、残りの期間はセンサの指示に応答してスイッチ素子をオンオフさせることを特徴とする。
【００２６】
要するに、制御回路部がセンサの検知結果に応答してスイッチ素子（つまり負荷）をオンオフさせる自動モードと、スイッチの手操作によってスイッチ素子をオンオフさせる手動モードとを有し、自動モードにおいてセンサの検知結果に応答してスイッチ素子（つまり、負荷）がオンになっているときに、スイッチの手操作によりスイッチ素子をオフにすると手動モードに移行した後、一定の無効期間は手動モードを保ち、無効期間の経過後に自動モードに復帰するのである。
【００２７】
この構成では、スイッチの優先順位をセンサよりも高く設定しており、センサからの指示にかかわらずスイッチのオンオフに応じて負荷をオンオフさせることができる。また、センサからの指示によって負荷がオンであるときに、スイッチからの指示によって負荷をオフにすることができるが、その後、ただちにセンサによるオンの指示を受け付けるようにすると、スイッチの指示によるオフが無効になる。そこで、センサの指示によりスイッチ素子がオンであるときにスイッチによるオフの指示を受けた後に一定の無効期間を設けているのであって、無効期間においてはセンサの指示に応答せずにスイッチ素子をオフに保つから、負荷をスイッチでオフにした直後にセンサからの指示でオンになるという不都合を防止することができる。
【００２８】
請求項１２の発明は、請求項５ないし請求項１０のいずれか１項のワイヤレス配線器具と前記送信器とからなり、ワイヤレス配線器具と送信器との少なくとも一方は手操作されるスイッチを備え、かつ侵入者を警戒するセンサを備えた送信器を含む負荷制御システムであって、前記制御回路部は、センサの指示により前記スイッチ素子をオンにするとスイッチによるオフの指示を無効にすることを特徴とする。
【００２９】
この構成によれば、侵入者を警戒するセンサと手操作するスイッチとではセンサからの指示の優先順位を高く設定してあり、侵入者に応答してセンサからの指示によりスイッチ素子がオンになると、スイッチの操作によってスイッチ素子がオフになるのを防止することができ、たとえば侵入者が負荷をオフにしようとしてスイッチを操作しても負荷がオフにならず、侵入者を威嚇したり侵入者を報知したりする負荷を侵入者が止めるのを防止できる。
【００３０】
請求項１３の発明は、請求項５ないし請求項１０のいずれか１項のワイヤレス配線器具と前記送信器とからなり、互いに異なる種類の環境変化を検出するセンサを備えた複数台の送信器を含む負荷制御システムであって、前記制御回路部は、センサによる検出内容の組合せにより前記スイッチ素子のオンオフを決定することを特徴とする。
【００３１】
この構成によれば、センサを複合的に組み合わせて負荷のオンオフを決定することができる。たとえば、人感センサを備える送信器と明るさセンサを備える送信器とを用いて照明負荷のオンオフを制御する場合には、明るさセンサで検出された明るさに応じて人感センサでの人の検出に応じて照明負荷を点灯させるか消灯した状態に保つかを制御することができる。つまり、明るさセンサと人感センサとの検出内容の組合せによって照明負荷の点灯・消灯を制御することになる。
【００３２】
請求項１４の発明では、請求項１１ないし請求項１３のいずれかの発明において、前記ワイヤレス信号を受信し前記送信器による前記スイッチ素子へのオンオフの指示に対応した表示を行う動作状態表示器を備えることを特徴とする。
【００３３】
この構成によれば、送信器からの負荷のオンオフの指示を含むワイヤレス信号を受信することにより、指示内容を動作状態表示器に表示するから、各送信器からの指示内容を動作状態表示器に表示することができる。また、ワイヤレス配線器具にスイッチを設けていなければ、動作状態表示器で負荷の状態を知ることができる。ここに、複数台の負荷の状態を一括して表示できるようにしておけば、宅内の負荷の動作状態を一箇所で集中管理することができる。
【００３４】
請求項１５の発明では、請求項１１の発明において、前記ワイヤレス配線器具は、前記スイッチ素子のオンオフが、前記センサの指示によるか前記スイッチの操作によるかの別を示す表示灯を備えることを特徴とする。
【００３５】
この構成によれば、スイッチ素子のオンオフの状態が、スイッチの操作によって手動でなされたものか、センサの検知結果により自動でなされたものかの別を視覚的に知ることができる。
【発明の効果】
【００３６】
本発明の構成によれば、機械スイッチに代えて用いることができるように電源と負荷との直列回路に２線で接続され、ワイヤレス信号に応じてスイッチ素子をオンオフさせるるから、壁スイッチのような埋込型のスイッチに代えて用いることにより、電源と負荷との直列回路に接続される負荷開閉部を備えた器体の設置場所とは離れた場所から送信器によって負荷のオンオフを指示することができるという利点を有する。また、送信器にはスイッチのほか環境変化を検出するセンサを設けることも可能であるから、スイッチやセンサによって負荷のオンオフを制御することができ、単独の機械スイッチでは実現できない多機能化を実現することができるという利点がある。
【発明を実施するための最良の形態】
【００３７】
（実施形態１）
本実施形態の電子スイッチは、図１（ａ）に示すように、ワイヤレス信号を受信するワイヤレス配線器具としてのスイッチ本体１と、ワイヤレス信号を送信する送信器２とにより構成される。
【００３８】
スイッチ本体１は、埋込型の配線器具と同様の外形である器体（図示せず）を備え、器体の後部を壁面のような施工面に埋め込むとともに器体の前面を施工面から露出させる形で施工面に取り付けられる。図２に示すように、器体の前面には押操作されるスイッチハンドル３１が設けられ、スイッチハンドル３１の側方には器体に内蔵した２種類の表示灯の点灯・消灯を視認できるように表示窓３２，３３が配置される。スイッチハンドル３１の中央部にはネームプレート３４が取付可能になっている。表示窓３２は負荷のオンオフに応じて発光色が変化する表示灯に対応し、この表示灯は、負荷のオンオフを示す動作表示灯と周囲が暗いときにスイッチの場所を示す位置確認灯との両方の機能に兼用されている。また、表示窓３３は電子スイッチの動作モードを示す表示灯に対応する。電子スイッチの動作モードについては後述する。
【００３９】
スイッチ本体１の器体は、たとえばＪＩＳ規格において埋込型の配線器具の取付枠として規格化されている大角連用形の取付枠に取付可能な形状、または規格化されていないがシリーズ製品として同仕様に設計された複数種類の埋込型配線器具で共用される取付枠に取付可能な形状、あるいはまたこの種の取付枠と同様の取付方が可能な取付枠を一体に備える形状のいずれかを採用することができる。さらに、埋込型の器体を有しているから、施工時においては施工面に形成される埋込用の穴を覆い隠すための化粧プレート３５が配置される。
【００４０】
スイッチ本体１は、図１（ｂ）に示すように、電源ＡＣと負荷Ｌｄとの直列回路に挿入されるトライアックからなるスイッチ素子Ｑを有する負荷開閉部１１を備え、負荷開閉部１１に設けたスイッチ素子Ｑは制御回路部１０から出力される制御信号によりオンオフが指示される。電源ＡＣはたとえば商用電源であって、ここでは交流電源であるものとする。負荷開閉部１１におけるスイッチ素子Ｑは、２個の接続端子Ｘ１，Ｘ２の間に接続されており、電源ＡＣと負荷Ｌｄとの直列回路の各一端にそれぞれ接続端子Ｘ１，Ｘ２をせつぞくすることにより、スイッチ素子Ｑのオンオフに応じて負荷Ｌｄへの給電をオンオフする。
【００４１】
負荷開閉部１１におけるスイッチ素子ＱのＴ２端子とゲート端子との間には電源回路部１２が接続される。電源回路部１２は負荷開閉部１１の両端電圧をダイオードブリッジで整流し、スイッチ素子のオン期間にはスイッチ素子のオン抵抗による電圧降下分の電圧を安定化し、スイッチ素子のオフ期間には電源ＡＣから負荷Ｌｄを通して流れる漏れ電流で生じる電圧を安定化する。したがって、スイッチ素子がオンかオフかにかかわらず、電源回路部１２から出力電圧が得られる。また、電源回路部１２に供給される電力は微小であるから、電源回路部１２の出力端には平滑コンデンサ（図示せず）が接続され負荷電流の変化に対応できるようにしてある。電源回路部１２で安定化された定電圧は、制御回路部１０およびワイヤレス受信部１３に供給される。なお、図１（ａ）において実線は電源系の線路を示し、破線は制御系の線路を示す。
【００４２】
制御回路部１０には押釦スイッチからなるスイッチＳＷが付設され、制御回路部１０ではスイッチＳＷのオンオフに応じて負荷開閉部１１にスイッチ素子のオンオフを指示する。ここに、スイッチＳＷは、押操作中にのみオンになるモメンタリ型の押釦スイッチを用い、制御回路部１０はスイッチＳＷの押操作毎にスイッチ素子のオンオフを反転させる。ただし、スイッチＳＷとしてオン用とオフ用との２個の押釦スイッチを備える構成を採用したり、押操作毎にオンオフが反転するものを採用したり、一般的なシーソースイッチを採用したりしてもよい。２個の押釦スイッチを用いる場合には、スイッチハンドル３１の右側あるいは上側を押操作するとオン、左側あるいは下側を押操作するとオフになるように配置すれば、１個のスイッチハンドル３１で２個の押釦スイッチを操作することができる。
【００４３】
ところで、ワイヤレス受信部１３が受信するワイヤレス信号の伝送媒体としては、赤外線のような光を用いることが可能であるが、本実施形態では電波を用いる。一般に伝送媒体として光を用いる場合に比較して電波を用いる場合のほうが受信待機時に消費する電力が大きい。そこで、本実施形態では、ワイヤレス受信部１３を間欠的に動作させることにより消費電力の増加を抑制している。
【００４４】
具体的には、制御回路部１０を構成するマイクロコンピュータにおいて、ワイヤレス受信部１３の動作を制御しており、図３（ａ）に示すように、ワイヤレス受信部１３は、ワイヤレス信号の受信が可能な受信待機期間Ｔ１と、ワイヤレス信号を受信せず電源回路部１２からの電力の供給が遮断される休止期間Ｔ２とを交互に繰り返す。受信待機期間Ｔ１および休止期間Ｔ２はそれぞれ一定時間であって、休止期間Ｔ２は受信待機期間Ｔ１よりも長く設定されている。つまり、電源回路部１２からワイヤレス受信部１３への電力の供給は間欠的に行われる。また、ワイヤレス受信部１３は受信待機期間Ｔ１において受信アンテナ１４を通してワイヤレス信号を受信すると受信信号を出力し、制御回路部１０に受信信号を与え、制御回路部１０では受信信号の内容に応じて負荷開閉部１１にオンまたはオフの指示を与える。ここに、受信アンテナ１４は器体に内蔵される。
【００４５】
一方、ワイヤレス信号を送信する送信器２は、図１に示すように、電池Ｂを電源に持ち、押釦スイッチのようなスイッチＳａを備え、スイッチＳａが操作されるたびにワイヤレス信号を送出する。スイッチＳａにはたとえばモメンタリ型の押釦スイッチを用いる。ワイヤレス信号は負荷開閉部１１のオンとオフとのいずれかを指示する内容であって、オンとオフとのどちらを指示するかは、スイッチＳａの押操作毎に交互に選択される。
【００４６】
具体的には、スイッチＳａはマイクロコンピュータからなる送信制御回路部２０に接続されており、送信制御回路部２０では、スイッチＳａが押操作されるたびに負荷開閉部１１の動作を指示する内容の送信信号ＳＴを生成し、送信信号ＳＴにおいて負荷開閉部１１をオンにするかオフにするかの指示内容を、スイッチＳａの押操作毎に交互に切り換える。なお、スイッチＳａとしてモメンタリ型ではなく押操作毎にオンとオフが反転するもの（プッシュオンプッシュオフ型）を用いる場合、あるいはモメンタリ型の押釦スイッチであってもオン用スイッチとオフ用スイッチとを個別に設ける場合には、送信制御回路部２０での切換は不要である。
【００４７】
送信制御回路部２０では、図３（ｂ）のように、スイッチＳａが１回押操作されると、同内容の送信信号ＳＴを規定した複数回繰り返して生成する。つまり、送信信号ＳＴの１フレームは負荷開閉部１１のオンまたはオフの指示内容を含んでおり、送信制御回路部２０では同内容の複数フレーム（たとえば、１７フレーム）の送信信号ＳＴを間欠的に発生させる。１フレームの送信信号ＳＴが占有する送信時間Ｔ３は一定時間であり、隣接する送信信号ＳＴの間の時間（送信信号ＳＴを送信する時間間隔）である送信間隔Ｔ４は一定時間であってもよいが、図３（ｂ）のように送信間隔Ｔ４を不規則に変化させてもよい。また、送信信号ＳＴを発生させる期間は、ワイヤレス受信部１３において複数の受信待機期間Ｔ１を含む時間になるように設定される。
【００４８】
ところで、スイッチ本体１の制御回路部１０にはアドレスが設定され、送信器２の送信制御回路部２０にもアドレスが設定される。スイッチ本体１と送信器２とのアドレスが規定した関係（たとえば、一致している関係や、特定の演算により規定した値が得られる関係）であると、送信器２からのワイヤレス信号の内容がスイッチ本体１において制御回路部１０に読み込まれ、送信器２から与えられた指示内容に従って負荷開閉部１１のスイッチ素子のオンオフを制御する。したがって、スイッチ本体１と送信器２とをアドレスにより対応付けることができ、対応していない送信器２からのワイヤレス信号によるスイッチ本体１の不要な動作を回避したり、１台の送信器２に複数台のスイッチ本体１を対応付けたり、複数台の送信器２に１台のスイッチ本体１を対応付けたり、複数台のスイッチ本体１と複数台の送信器２とを対応付けたりすることが可能になる。
【００４９】
上述した動作から明らかなように、ワイヤレス信号は、送信器２を特定するアドレスと、スイッチ素子の制御内容を指示する制御データとを含む。スイッチ素子の制御内容は、基本的にはオンオフであるが、ワイヤレス信号を受信してから一定時間後にオフにするオフディレイやワイヤレス信号を受信してから一定時間はオンを継続するワンショット動作も可能であって、制御データには、単純なオンオフかオフディレイかワンショット動作かなどを指定する制御コマンドと、オフディレイやワンショット動作の場合の時間などを指定する動作パラメータとが含まれる。
【００５０】
送信器２には、送信制御回路部２０から出力された送信信号ＳＴを受けてワイヤレス信号を送出するワイヤレス送信部２１が設けられる。送信信号ＳＴはパルス列からなるから、ワイヤレス送信部２１は送信信号ＳＴをＵＷＢ（Ｕｌｔｒａ  Ｗｉｄｅ  Ｂａｎｄ）のパルス列に変換し、送信アンテナ２２を通して電波として送出する。ＵＷＢは、中心周波数の２０％を超える帯域幅を占有するか５００ＭＨｚ以上の帯域幅を占有するスペクトルを持つパルスを送信する（米国では、３．１〜１０．６ＧＨｚの帯域を５２８ＭＨｚの帯域幅を持つ１４個のサブバンドに分割し、送信電力を−４１ｄＢｍ／ＭＨｚとして短距離通信に制限している）。本実施形態では、ワイヤレス送信部２１をＵＷＢに対応させているから、変調回路を必要とせず、電波を伝送媒体とする他の方式のワイヤレス信号を送信する場合と比較すると、送信電力を等しくした場合には、回路での消費電力を低減することができ、またチップ面積も小さくすることができる。
【００５１】
上述したように、送信器２に設けたスイッチＳａが１回押操作されると、送信器２では同内容の複数フレームの送信信号ＳＴを発生させ、同内容のワイヤレス信号を複数回繰り返して送信する。一方、スイッチ本体１のワイヤレス受信部１３では間欠的に受信待機期間Ｔ１を設けており、送信器２が送信信号ＳＴを発生させる期間が複数の受信待機期間Ｔ１を含むように設定されているから、少なくとも１回の受信待機期間Ｔ１において送信器２からのワイヤレス信号を受信することが可能になる。ここに、１回の受信待機期間Ｔ１は送信信号ＳＴの１フレーム分の時間よりも長く設定されていることはいうまでもない。スイッチ本体１では、ワイヤレス信号を受信すると当該ワイヤレス信号の内容に応じて負荷開閉部１１のオンオフを制御する。
【００５２】
また、制御回路部１０では、送信器２が同内容のワイヤレス信号を繰り返して発生するよりもやや長い時間を不感期間とし、いずれかの受信待機期間Ｔ１においてワイヤレス信号を受信すると、その後、不感期間においてワイヤレス信号を受信しても同内容のワイヤレス信号であるものとみなし、当該ワイヤレス信号の内容を無効にする。したがって、送信器２においてスイッチＳａの１回の押操作に対応して複数回繰り返して送信されるワイヤレス信号のうちの１回分だけがスイッチ本体１において有効に利用される。
【００５３】
同様にして、送信器２においてもスイッチＳａを１回押操作した後に、次にスイッチＳａの押操作を有効にするまでの不感期間を設けてあり、不感期間においてスイッチＳａが押操作されても送信信号が生成されないようにしてある。
【００５４】
ところで、上述した構成例では送信器２においてスイッチとして手操作するスイッチＳａを備える構成を例示したが、図４に示すように、スイッチＳａに代えて周囲の状態変化を検出するセンサＳｂを用いてもよい。センサＳｂには種々のものを用いることができるが、たとえば、人体から放射される熱線を焦電型赤外線センサで検出することにより人の存否に応じた２値出力（接点出力）を発生する人感センサ、周囲の明るさを検出し基準値との大小関係に応じた２値出力（接点出力）を発生する明るさセンサなどを用いることができる。このようなセンサＳｂを用いることにより、たとえばセンサＳｂで人が検出されると負荷Ｌｄをオンにし、人が検出されなくなると負荷Ｌｄをオフにすることで、電力の無駄な消費を防止したり、周囲が暗くなると照明負荷を自動的に点灯させることが可能になる。
【００５５】
人感センサを備える送信器２では、センサＳｂは、あらかじめ設定した検知エリアから受光する熱線の変化率が所定値以上であると人検知信号を発生して内蔵タイマをトリガし、内蔵タイマの時限動作が終了するまでオン信号を出力する。内蔵タイマはリトリガラブルであって、内蔵タイマの時限動作中に次の人検知信号が入力されると時限時間を延長する。つまり、センサＳｂは図６（ａ）のように人が検知されてから内蔵タイマの時限時間である保持時間Ｔｈが終了するまでの期間にオン信号ＳＮを出力する。送信器２には保持時間Ｔｈを調節するための可変抵抗器（図示せず）が設けられており、使用環境に応じて保持時間Ｔｈが調節できるようになっている。
【００５６】
この送信器２ではオン信号ＳＮの立ち上がりと立ち下がりとに対応するワイヤレス信号を出力する。つまり、送信制御回路部２０ではオン信号ＳＮの立ち上がりエッジと立ち下がりエッジとを検出し、それぞれに対応した送信信号ＳＴを生成し、ワイヤレス信号を送信させる。
【００５７】
なお、送信器２のセンサＳｂから人検知信号を出力し、送信制御回路部２０において人検知信号の発生毎に送信信号ＳＴを生成してワイヤレス信号として送信する構成を採用することも可能である。この場合、保持時間Ｔｈはスイッチ本体１において内蔵タイマで時限する。保持時間の長さは送信器２からワイヤレス信号によって指定することができるが、スイッチ本体１において調節してもよい。このような構成では、送信器２からはオンを指示するワイヤレス信号のみがスイッチ本体１に送信され、スイッチ本体１ではオンを指示するワイヤレス信号を受信すると負荷開閉部１１のスイッチ素子をオンにし、その後、保持時間Ｔｈが経過するまでにオンを指示する次のワイヤレス信号を受信しなければ、負荷開閉部１１のスイッチ素子をオフにする。
【００５８】
上述した構成の一使用例として、スイッチ本体１と人感センサであるセンサＳｂを備える送信器２とを対応付ける場合の施工例を図５に示す。図示例では負荷Ｌｄとして玄関Ｒ１内の天井に取り付けた玄関灯のような照明負荷を示している。また、送信器２は、玄関Ｒ１内における人の存否を検出するように配置してある。スイッチ本体１は室内において玄関Ｒ１が見える場所に配置してある。また、スイッチ本体１におけるスイッチＳＷとしてオン用とオフ用との２個の押釦スイッチを用いているものとする。
【００５９】
このような構成では、負荷開閉部１１に設けたスイッチ素子のオンオフについて、スイッチ本体１に設けたスイッチＳＷの操作と、送信器２に設けたセンサＳｂによる人の検知とのどちらの指示を優先するかを決めておく必要がある。ここでは、スイッチＳＷの手操作を優先的に扱うようにしている。
【００６０】
具体的には、スイッチＳＷでオンを指示したときは、スイッチＳＷでオフを指示するまでは送信器２からのワイヤレス信号を無視し（ワイヤレス受信部１３を休止させてもよい）、送信器２からのワイヤレス信号でオンになっているときにスイッチＳＷでオフを指示するとオフになるように、制御回路部１０において優先順位を決めてある。ここに、ワイヤレス信号でオンになっているときに、スイッチＳＷでオフの指示を与えた場合には、スイッチ本体１の内蔵タイマによって無効期間Ｔｉの時限を行い、無効期間Ｔｉの間では送信器２からのワイヤレス信号を無視する。無効期間Ｔｉはスイッチ本体１において可変抵抗器を操作するなどして調節可能になっている。
【００６１】
つまり、スイッチ本体１の動作には、スイッチＳＷの操作によりスイッチ素子のオンオフが指示され送信器２からのワイヤレス信号を無視する手動モードと、送信器２からのワイヤレス信号によりスイッチ素子のオンオフが指示される自動モードとがある。スイッチＳＷでオンが指示された場合にはスイッチＳＷでオフが指示されるまでは手動モードであり、また、自動モードでオンが指示されている間にスイッチＳＷでオフが指示されると手動モードに移行して無効期間Ｔｉの間は手動モードを継続する。これらの期間以外は送信器２からのワイヤレス信号を受け付ける自動モードとして動作する。自動モードか手動モードかは、上述したスイッチ本体１に設けた（図２参照）表示窓３３に対応する表示灯により示される。表示窓３３に対応する表示灯は、自動モードと手動モードとを点灯と消灯とによって表すか、または発光色の変化によって表す。
【００６２】
図６に動作例を示す。図６（ａ）は人感センサであるセンサＳｂを備えた送信器２からのワイヤレス信号によるオンオフの指示を表している。また、図６（ｂ）（ｃ）はそれぞれスイッチＳＷによるオンとオフとの指示のタイミングを表している。また、図６（ｄ）は負荷Ｌｄのオンオフ（つまり、負荷開閉部１１のスイッチ素子のオンオフ）を示し、図６（ｆ）はスイッチ本体１の動作モードを示している。
【００６３】
時刻ｔ１までは自動モードであって、図６（ｂ）のように時刻ｔ１においてスイッチＳＷでオンが指示されると手動モードに移行する。また、オンが指示されているから負荷Ｌｄがオンになる。手動モードでは送信器２からのワイヤレス信号が無効であるから、図６（ｃ）のように時刻ｔ２においてスイッチＳＷでオフが指示されると負荷Ｌｄもオフになる。この動作ではスイッチＳＷの操作のみによる負荷Ｌｄのオンオフであり、送信器２からのワイヤレス信号は無関係であるから、時刻ｔ２においてスイッチＳＷでオフが指示されると、ただちに自動モードに移行する。
【００６４】
図６（ａ）のように自動モードである時刻ｔ３においてセンサＳｂにより人が検知されると負荷Ｌｄはオンになり、その後、スイッチＳＷが操作されることなく時刻ｔ４において人が検知されなくなってから保持時間Ｔｈが経過すると負荷Ｌｄがオフになる。この動作では、スイッチＳＷは操作されていないから、時刻ｔ４の後も自動モードは継続する。したがって、次に時刻ｔ５においてセンサＳｂで人が検知されると負荷Ｌｄがオンになる。
【００６５】
センサＳｂでの人の検知により負荷Ｌｄがオンになっている期間である時刻ｔ６において、スイッチＳＷによりオフの指示がなされると、負荷Ｌｄはオフになり手動モードに移行する。このとき、図６（ｅ）のようにスイッチ本体１の内蔵タイマによって無効期間Ｔｉの時限が開始される。無効期間Ｔｉの間は手動モードが保持される。したがって、センサＳｂで人が検知されていても無効期間Ｔｉが経過するまでは負荷Ｌｄはオフに保たれる。その後、無効期間Ｔｉが終了する時刻ｔ７までに保持時間Ｔｈの時限も終了していれば、無効期間Ｔｉの終了時点で自動モードに復帰する。ただし、無効期間Ｔｉが終了してもセンサＳｂによるオン信号ＳＮが継続している場合には、自動モードに復帰した時点で負荷Ｌｄがオンになる。
【００６６】
自動モードである時刻ｔ８においてオン信号ＳＮにより負荷Ｌｄがオンになっている間に、スイッチＳＷにおいても時刻ｔ９においてオンが指示された場合には、スイッチＳＷによるオンの指示が優先されて手動モードに移行する。この場合の手動モードはスイッチＳＷによるオフの指示まで継続し、送信器２からのワイヤレス信号は無視される。
【００６７】
図６に示す動作から明らかなように、自動モードにおいてはスイッチ本体１のスイッチＳＷと送信器２のセンサＳｂとのどちらもが有効であって、使用者の意図で負荷Ｌｄである照明負荷の点灯・消灯ができるとともに、玄関Ｒ１で人が検出されると照明負荷を自動的に点灯させる動作が可能になる。一方、玄関Ｒ１に人がいなくなれば照明負荷は自動的に消灯するが、スイッチＳＷにより照明負荷を強制的に消灯させてることもできる。また、センサＳｂでの人の検知によって照明負荷が点灯した場合でも、なんども出入りを繰り返す場合のように照明負荷を継続的に点灯させたい場合には、スイッチＳＷの操作によってセンサＳｂとは無関係に照明負荷のオンを継続させることが可能になる。
【００６８】
本実施形態を用いた他の構成例を図７に示す。図５に示した構成例では、人感センサであるセンサＳｂを備える送信器２を１台だけ設けた例を示したが、図７に示す構成例では、センサＳｂとして人感センサを備える２台の送信器２ａ，２ｂと明るさセンサを備える送信器２ｃとの合計３台の送信器２（２ａ〜２ｃ）を設けている。送信器２ａは壁に取り付けられ、送信器２ｂ，２ｃは天井に取り付けられる。スイッチ本体１では、各送信器２ａ〜２ｃからのワイヤレス信号をアドレスにより識別する。
【００６９】
上述の構成によって、玄関Ｒ１において、２個の人感センサを設けることにより人の検知に際して死角が生じないように配置することが可能になる。人感センサを備える送信器２ａ，２ｂの台数は必要に応じて３台以上設けることも可能である。このように人感センサを備える送信器２ａ，２ｂを複数台設けることにより、１個の人感センサでは実現できなかった形状の検知エリアを設定することが可能になり、人の存否を検出する検知エリアを所望形状に形成することが可能になる。また、明るさセンサは照明負荷の点灯の要否を判断するのに適した場所に配置すればよい。明るさセンサは、フォトダイオードのような光電変換素子により検出した明るさを適宜の閾値と比較することにより、周囲の明るさが照明負荷の点灯を必要とするかを判断するものであって、閾値にはヒステリシスを付与してある。つまり、閾値は明暗２段階に切換可能であって、光電変換素子により検出される明るさが暗い方から明るい方に閾値を横切ったときには閾値を暗側に切り換え、明るさが明るい方から暗い方に閾値を横切ったときには閾値を明側に切り換える。この閾値は送信器２ｃにおいて調節可能になっている。
【００７０】
図７に示す構成例では、スイッチ本体１の制御回路部１０において各送信器２ａ〜２ｃでの検知結果を組み合わせて照明負荷（負荷Ｌｄ）のオンオフを制御する。具体的には、送信器２ａ，２ｂでの検知結果として得られるオン信号ＳＮは論理和を求め、この論理和と送信器２ｃでの検出結果との論理積を用いて照明負荷を制御する。図８（ａ）の左半分のように周囲が明るいときには照明負荷は消灯しておけばよいから、図８（ｂ）のように人感センサにより人が検知されオン信号が発生しても無視して照明負荷は点灯させない。また、図８（ａ）の右半分のように周囲が暗いときには、図８（ｂ）のように人の検知によるオン信号ＳＮが発生したときに図８（ｃ）のように照明負荷を点灯させる（負荷Ｌｄをオンにする）。言い換えると、（人が検知され）かつ（暗い）ときに照明負荷をオンにし、（人が検知されない）または（明るい）ときに照明負荷をオフにする。なお、この種の論理演算の手段は、スイッチ本体１にあらかじめ用意しておき、送信器２の構成によって選択するようにすれば、システムの構築が容易になる。
【００７１】
なお、人感センサと明るさセンサとを１個の器体に収納した送信器２を設け、周囲の明るさ（照度）が規定値以上のときに人感センサの出力を無視する動作を送信器２において実現してもよい。
【００７２】
図９に示す構成例は、図５に示した構成例にスイッチＳａを備える送信器２ｄを追加したものである。送信器２ａは人感センサであるセンサＳｂを備える。つまり、２台の送信器２（２ａ，２ｄ）を備える。送信器２ｄのスイッチＳａはスイッチ本体１のスイッチＳＷとは３路スイッチとして機能する。つまり、スイッチ本体１と送信器２ｄとの一方で照明負荷（負荷Ｌｄ）のオンを指示しているときに他方を操作すれば照明負荷はオフになり、一方で照明負荷のオフを指示しているときに他方を操作すれば照明負荷はオンになる。他の構成および動作は図５に示した構成と同様である。
【００７３】
このようにスイッチＳＷと同様に操作するスイッチＳａを設けることにより、照明負荷のオンオフを多箇所で操作することが可能になり、使用者の利便性が高くなる。また、スイッチＳａを備える送信器２は２台以上設けることも可能である。その場合、スイッチ本体１のスイッチＳＷと送信器２のスイッチＳａとのうちのいずれかを操作すれば照明負荷のオンオフの状態を反転させるようにスイッチ本体１の制御回路部１０を構成すればよい。上述のような３路スイッチと等価な動作を実現する際には、スイッチＳａを備える送信器２を付加し、制御回路部１０に用意されている機能から３路スイッチとしての機能を選択するだけであるから、配線施工を伴わずに１箇所で操作するスイッチから３路スイッチへの変更が可能になる。
【００７４】
図１０に示す構成例は、図７に示した構成例に対して、スイッチ本体１と照明負荷（負荷Ｌｄ）とを１回路追加し、さらにスイッチＳａを備える送信器２ｉと、タイマスケジュールに従ってワイヤレス信号を送信する送信器２ｊとを付加したものである。また、ワイヤレス信号を受信することにより、照明負荷の動作状態を表示する動作状態表示器３を付加してある。動作状態表示器３は送信器２ａ〜２ｃ，２ｉ，２ｊから送信されるワイヤレス信号を受信することにより負荷Ｌｄの動作状態を検出するから、スイッチ本体１におけるスイッチＳＷの操作は反映されない。したがって、スイッチ本体１の近傍に配置するのが望ましい。
【００７５】
タイムスケジュールに従ってワイヤレス信号を送信する送信器２ｊは、あらかじめ照明負荷の点灯や消灯のタイムスケジュールを設定しておくことができる。また、照明負荷の点灯や消灯のタイミングをタイムスケジュールで設定した一定時刻とせずに、不規則にずらす機能も設けてある。この機能を用いることにより、照明負荷の点灯と消灯とを自動化しながらも、点灯および消灯の時刻が不規則であることによって、第三者にとっては家人が操作しているかのように見え、留守中であっても照明負荷を家人が操作しているかのような印象を与えて防犯効果が得られる。
【００７６】
図１０に示す構成例では、玄関Ｒ１の入口付近にスイッチＳａを備えた送信器２ｉを備えるから、この送信器２ｉを複数個のスイッチ本体１に対応付けておけば、複数箇所の照明負荷を同時に点灯・消灯させることができる。また、外出時に複数の照明負荷を一括して消灯させ、消し忘れを低減することができる。図１０に示す構成例は一例であって、動作状態表示器３は省略可能であり、また照明負荷は２回路ではなく１回路であってもよいのはもちろんのことである。
【００７７】
この構成では、スイッチ本体１は５台の送信器２ａ〜２ｃ，２ｉ，２ｊからのワイヤレス信号を受けることになるが、各送信器２からのワイヤレス信号とスイッチ本体１に設けたスイッチＳＷとの操作の組合せや優先順位を設定することにより、照明負荷について種々の制御が可能になる。なお、タイムスケジュールを設定することができる送信器２ｊでは、一般のタイマスイッチで知られている種々の設定が可能になる。つまり、指定された日時に負荷をオンオフするほか、１週間単位で同時刻に負荷をオンオフさせる機能、特定の曜日に負荷をオンオフさせる機能などを持たせることができる。
【００７８】
図１１に示す構成例は、図７に示した構成例と同様に、センサＳｂを備える送信器２（２ｅ〜２ｈ）を複数台設けたものである。センサＳｂとしては防犯用であって室内Ｒ２への侵入者を警戒する機能を有するものを用いる。図示例では、送信器２ｅ，２ｆにはセンサＳｂとしてガラス破壊センサを設けている。ガラス破壊センサは、ガラス破壊時の特有の周波数成分および衝撃力の変化などを利用してガラスの破壊を検出するものであり、図示例では２枚のガラスの室内Ｒ２側にそれぞれ送信器２ｅ，２ｆを貼着している。送信器２ｇは開閉センサをセンサＳｂとして備える。開閉センサは、たとえばマイクロスイッチを用い、窓、戸などの開閉を検出する。さらに、送信器２ｈは屋外の不審者を検出する侵入者センサをセンサＳｂとして備える。侵入者センサは、たとえば焦電型赤外線センサにより人を検知する人感センサ、あるいは超音波の送受波や画像を用いて人を検知する人感センサなどを用いる。
【００７９】
図１１に示す構成例は防犯用であるから、照明負荷である負荷Ｌｄを単に点灯させるだけでもよいが、負荷Ｌｄを点滅させてもよい。いずれの場合も、センサＳｂが侵入者を検出すると負荷Ｌｄを点灯ないし点滅させるから、夜間においては侵入者に対してあたかも家人が起きてきたかのような印象を与えて威嚇することが可能になる。なお、防犯用のセンサＳｂを備える送信器２からのワイヤレス信号によって負荷Ｌｄを点灯ないし点滅させる場合には、スイッチ本体１のスイッチＳＷや送信器２のスイッチＳａを操作しても、状態解除ができないようにしておくのが望ましい。つまり、送信器２に優先順位を設定しておく。スイッチＳＷやスイッチＳａによる状態解除を禁止しておけば、侵入者がスイッチＳＷやスイッチＳａに触れても負荷Ｌｄを消灯させることができず、威嚇の効果を継続させることができる。
【００８０】
上述した構成から明らかなように、スイッチＳａを備える送信器２とセンサＳｂを備える送信器２とは適宜に組み合わせて用いることができる。また、送信器２にはタイムスケジュールをあらかじめ設定しておき、タイムスケジュールに設定された時刻になると負荷Ｌｄのオンまたはオフを指示するワイヤレス信号を送信する構成を採用してもよい。
【００８１】
（実施形態２）
実施形態１では、１台のスイッチ本体１において１回路の負荷回路を制御可能とした例を示したが、本実施形態では、１台のスイッチ本体１において複数回路の負荷回路を制御可能とした例を示す。図１２に示す構成は、３個の負荷開閉部１１ａ〜１１ｃを設けることによって３回路の負荷回路を個別に制御できるようにしたものである。すなわち、３個の負荷Ｌｄａ〜Ｌｄｃがそれぞれ負荷開閉部１１ａ〜１１ｃに接続され、各負荷開閉部１１ａ〜１１ｃが独立して動作することにより、各負荷Ｌｄａ〜Ｌｄｃを個別に独立して制御できるようにしてある。
【００８２】
ここに、電源回路部１２には３個の負荷Ｌｄａ〜Ｌｄｃが並列に接続される。ただし、各負荷Ｌｄａ〜Ｌｄｃと電源回路部１２との間には逆流阻止用のダイオードブリッジ（図示せず）を挿入することで、各負荷開閉部１１ａ〜１１ｃが各負荷Ｌｄａ〜Ｌｄｃを独立して制御できるようにしてある。また、各負荷開閉部１１ａ〜１１ｃにおけるスイッチ素子のオンオフは制御回路部１０での設定により適宜に変更することが可能である。
【００８３】
たとえば、スイッチＳＷを複数個接続し、各スイッチＳＷに負荷開閉部１１ａ〜１１ｃを対応付けたり、複数台の送信器２からのワイヤレス信号に各負荷開閉部１１ａ〜１１ｃを個別に対応付けたりすることが可能であり、また１個のスイッチＳＷあるいは１台の送信器２にすべての負荷開閉部１１ａ〜１１ｃを対応付けることも可能である。さらには、特定のスイッチＳＷあるいは特定の送信器２に対しては複数の負荷開閉部１１ａ〜１１ｃを対応付け、他のスイッチＳＷあるいは送信器２に対しては負荷開閉部１１ａ〜１１ｃを個々に対応付けることも可能である。要するに、スイッチＳＷおよび送信器２と負荷開閉部１１ａ〜１１ｃとの対応付けは制御回路部１０において任意に行うことが可能である。負荷回路部１１ａ〜１１ｃの個数が少ないから、対応付けの組合せの種類は比較的少ない。そこで、制御回路部１０にあらかじめ組合せを用意しておき、現場において施工者が選択するのが望ましい。
【００８４】
上述のように、スイッチＳＷや送信器２を負荷Ｌｄａ〜Ｌｄｃに一対一に対応付けるほか、一対多、多対一、多対多のいずれにも対応付けることが可能であり、これらの対応付けを混在させることも可能である。また、一対多の対応付けにおいては、制御対象のすべての負荷Ｌｄａ〜Ｌｄｃのオンオフを同じ状態にしか指定できないグループ制御と、制御対象の負荷Ｌｄａ〜Ｌｄｃごとにオンオフを指定できるパターン制御との設定も可能になっている。他の構成は実施形態１と同様である。
【００８５】
本実施形態のスイッチ本体１を用いた施工例を図１３に示す。図５に示した実施形態１の構成例ではスイッチ本体１に１回路の負荷Ｌｄしか接続できなかったのに対して、図１３に示す構成例はスイッチ本体１に２回路の負荷Ｌｄａ，Ｌｄｂを接続している。ここでは、２回路の負荷Ｌｄａ，Ｌｄｂを独立して個別にオンオフを指示するために、スイッチ本体１には各負荷Ｌｄａ，Ｌｄｂに対応付けて２個のスイッチＳＷを設けている。他の構成は図５に示した構成例と同様である。
【００８６】
図１３に示す構成例では、人感センサをセンサＳｂとして備える送信器２により人が検知されるとスイッチ本体１では、２個の負荷Ｌｄａ，Ｌｄｂを両方ともオンにする。一方、スイッチ本体１には２個のスイッチＳＷが設けられ、各スイッチＳＷはそれぞれ負荷Ｌｄａ，Ｌｄｂを個別にオンオフすることができる。したがって、負荷Ｌｄａ，Ｌｄｂとして玄関Ｒ１の天井に設けた照明負荷と、玄関Ｒ１につながる廊下または居室Ｒ３の天井に設けた照明器具とを想定するとき、玄関Ｒ１に人が入ると両照明負荷が同時に点灯し、人が居室Ｒ３に入った後には居室Ｒ３の照明負荷のオンを保つためにスイッチＳＷを操作するというような使用が可能になる。他の構成および動作は実施形態１と同様である。
【００８７】
上述した各実施形態において送信器２の電源として電池Ｂを用いる例を示したが、スイッチＳａを備える送信器２ではスイッチＳａの操作によって発電する発電手段を設け、発電手段により発電した電力を送信器２の電源に用いてもよい。ここに、ワイヤレス信号の伝送方式としてＵＷＢ方式を採用しており、また送信器２からスイッチ本体１までの距離は数メートルであって、送信器２での消費電力はごく小さいから、スイッチＳａの操作を電力に変換する構成として圧電素子を用いる程度でもワイヤレス信号の送信が可能である。この種の構成では、スイッチＳａの操作により発生させた電圧の立ち上がりをトリガに用いてワイヤレス信号を送信する。また、スイッチＳａの操作を回転運動などに変換する機構を用いて発電機を駆動し、その電力を送信器２の電源に用いてもよい。
【００８８】
上述したように、本発明の構成では、スイッチ本体１を負荷Ｌｄに接続しておくことで、様々な機能を有する送信器２と組み合わせることができる。送信器２には、スイッチＳａ、センサＳｂ（人感センサ、明るさセンサ、画像センサなど）、タイムスケジュールを設定可能なものなど種々のものを用いることができ、また各種機能の送信器２の出力を組み合わせたり優先順位を決めたりして負荷Ｌｄを制御することができる。しかも、各種機能の送信器２は使用者の利便性に応じて自由に配置することができるから、生活環境の変化などに応じて送信器２の種類や配置を適宜に選択することができる。たとえば、スイッチＳａを備える送信器２を用いる場合に、使用者の身長に応じて設置高さを変えることが可能である。
【図面の簡単な説明】
【００８９】
【図１】（ａ）実施形態１を示すブロック図、（ｂ）同上の要部回路図である。
【図２】同上に用いるスイッチ本体を示す正面図である。
【図３】同上の動作説明図である。
【図４】同上に用いる送信器の他の構成例を示すブロック図である。
【図５】同上の使用例を示す斜視図である。
【図６】同上の動作説明図である。
【図７】同上の他の使用例を示す斜視図である。
【図８】同上の動作説明図である。
【図９】同上のさらに他の使用例を示す斜視図である。
【図１０】同上の別の使用例を示す斜視図である。
【図１１】同上のさらに別の使用例を示す斜視図である。
【図１２】実施形態２を示すブロック図である。
【図１３】同上の使用例を示す斜視図である。
【符号の説明】
【００９０】
１  スイッチ本体
２  送信器
３  動作状態表示器
１０  制御回路部
１１  負荷開閉部
１１ａ〜１１ｃ  負荷開閉部
１２  電源回路部
１３  ワイヤレス受信部
ＡＣ  電源
Ｌｄ  負荷
Ｓａ  スイッチ
Ｓｂ  センサ
ＳＷ  スイッチ
Ｘ１，Ｘ２  接続端子
【図１】
2007174095.tif 000003
【図２】
2007174095.tif 000004
【図３】
2007174095.tif 000005
【図４】
2007174095.tif 000006
【図５】
2007174095.tif 000007
【図６】
2007174095.tif 000008
【図７】
2007174095.tif 000009
【図８】
2007174095.tif 000010
【図９】
2007174095.tif 000011
【図１０】
2007174095.tif 000012
【図１１】
2007174095.tif 000013
【図１２】
2007174095.tif 000014
【図１３】
2007174095.tif 000015